(57)【要約】【課題】  外観を構成する複数の面に表示装置を必要とする携帯端末を、小型、低コスト、高信頼性を有するものとすること。【解決手段】  情報表示を行う表示部に有機ＥＬ表示装置を用いた携帯端末であって、有機ＥＬ表示装置は、フィルム基板上に有機ＥＬ素子が形成され、単一の有機ＥＬ表示装置を携帯端末の外観を構成する面のうち、少なくとも隣り合う２つの面に跨って配置した携帯端末とする。【選択図】        図３
2006005712.tif 000002
【特許請求の範囲】
【請求項１】
情報表示を行う表示部に有機ＥＬ表示装置を用いた携帯端末であって、
前記有機ＥＬ表示装置は、フィルム基板上に有機ＥＬ素子が形成され、単一の前記有機ＥＬ表示装置を前記携帯端末の外観を構成する面のうち、少なくとも隣り合う２つの面に跨って配置したことを特徴とする携帯端末。
【請求項２】
前記携帯端末は被写体画像を撮影する撮像部を有し、
前記撮像部を使用した撮影時に、前記有機ＥＬ表示装置の一部を照明用光源として用いることを特徴とする請求項１に記載の携帯端末。
【請求項３】
前記有機ＥＬ表示装置の一部を、前記携帯端末への着信表示として用いることを特徴とする請求項１又は２に記載の携帯端末。
【請求項４】
前記有機ＥＬ表示装置は、前記携帯端末の外表面に配置されていることを特徴とする請求項１〜３のいずれか１項に記載の携帯端末。
【請求項５】
前記有機ＥＬ表示装置は、前記携帯端末の外観を構成する筐体の内側に配置されていることを特徴とする請求項１〜３のいずれか１項に記載の携帯端末。
【発明の詳細な説明】
【技術分野】
【０００１】
本発明は、携帯電話等の携帯端末に関し、詳しくは画像や文字等の表示用に有機ＥＬ表示装置を用いた携帯端末に関するものである。
【背景技術】
【０００２】
従来より小型で薄型の撮像装置が、携帯電話機やＰＤＡ（Ｐｅｒｓｏｎａｌ  Ｄｉｇｉｔａｌ  Ａｓｓｉｓｔａｎｔ）等の小型、薄型の電子機器である携帯端末に搭載されるようになり、これにより遠隔地へ音声情報だけでなく画像情報も相互に伝送することが可能となっている。
【０００３】
これら携帯端末には、情報を表示する表示部を備えたものが一般的である。近年、この表示部に、有機エレクトロルミネッセンス素子（以下、有機ＥＬ素子と称す）で構成された表示装置（以下、有機ＥＬ表示装置と称す）を使用したものがある。有機ＥＬ素子は、薄膜の有機化合物の発光層を電極で挟持し、この電極間に通電すると発光する性質を有するものである。この有機ＥＬ素子を平面上に多数個配置して有機ＥＬ表示装置を構成し、選択的に発光させることにより図形、キャラクタ等の表示がおこなわれている。この有機ＥＬ表示装置は、自発光素子であるため、反射型ＬＣＤのフロントライト、透過型ＬＣＤのバックライトに相当する照明用光源を不要とできる利点がある。
【０００４】
また、携帯電話機やＰＤＡ等の携帯端末では、携帯性を向上させるため、折り畳み可能としたものが多数を占めている。このようなものに対し、折り畳んだ時も露呈している面と開いたときに露呈する面とに、それぞれにＬＣＤ、ＤＭＤ、ＰＤＰ或いは有機ＥＬ表示装置等の表示装置を配置し、折り畳まれた場合には、露呈する面に配置された表示装置が表示を行うようになっている携帯電話機が公知である（例えば、特許文献１参照）。
【特許文献１】特開２００２−３００２３７号公報
【発明の開示】
【発明が解決しようとする課題】
【０００５】
上述のように有機ＥＬ表示装置は、ＬＣＤでの表示に用いられるバックライトもしくはフロントライトが不要なため、携帯端末をより薄型化することを可能とするものである。
【０００６】
しかし、上述の特許文献１に記載のような表示装置構成では、複数の表示装置をそれぞれの面に対して配置するため、表示部及びこれら表示部を個々に接続するコネクタ等を複数必要とし、部品点数の増加によるスペース増、コスト増に加え信頼性を低下させる要因となる問題がある。
【０００７】
本発明は、上記問題に鑑み、外観を構成する複数の面に表示装置を必要とする携帯端末を、小型、低コスト、高信頼性を有するものとすることを目的とするものである。
【課題を解決するための手段】
【０００８】
上記の課題は、以下の構成で解決される。
【０００９】
請求項１に係わる発明は、情報表示を行う表示部に有機ＥＬ表示装置を用いた携帯端末であって、前記有機ＥＬ表示装置は、フィルム基板上に有機ＥＬ素子が形成され、単一の前記有機ＥＬ表示装置を前記携帯端末の外観を構成する面のうち、少なくとも隣り合う２つの面に跨って配置したことを特徴とする携帯端末、である。
【００１０】
請求項２に係わる発明は、前記携帯端末は被写体画像を撮影する撮像部を有し、前記撮像部を使用した撮影時に、前記有機ＥＬ表示装置の一部を照明用光源として用いることを特徴とする請求項１に記載の携帯端末、である。
【００１１】
請求項３に係わる発明は、前記有機ＥＬ表示装置の一部を、前記携帯端末への着信表示として用いることを特徴とする請求項１又は２に記載の携帯端末、である。
【００１２】
請求項４に係わる発明は、前記有機ＥＬ表示装置は、前記携帯端末の外表面に配置されていることを特徴とする請求項１〜３のいずれか１項に記載の携帯端末、である。
【００１３】
請求項５に係わる発明は、前記有機ＥＬ表示装置は、前記携帯端末の外観を構成する筐体の内側に配置されていることを特徴とする請求項１〜３のいずれか１項に記載の携帯端末、である。
【００１４】
即ち、本発明者は、可撓性を有する有機ＥＬ表示装置を用いることにより、単一の表示装置のみで、携帯端末の外観を構成する複数の面での表示を可能とできることに着目し、本発明に至ったものである。
【発明の効果】
【００１５】
本発明によれば、フィルム状の単一の有機ＥＬ表示装置を、携帯端末の外観を構成する面のうち、少なくとも隣り合う２つの面に跨って配置することにより、表示部及びこれら表示部を個々に接続するコネクタ数を最少とし、低コストでありながら信頼性が向上すると共に、省スペースによる小型薄型化をも可能とした携帯端末を得ることができる。
【発明を実施するための最良の形態】
【００１６】
以下、実施の形態により本発明を詳しく説明するが、本発明はこれに限定されるものではない。
【００１７】
図１は、本発明に係る携帯端末の一例である携帯電話機Ｔの外観図である。
【００１８】
同図に示す携帯電話機Ｔは、ケースとしての上筐体１と、操作ボタンＰを備えた下筐体２とがヒンジ３を介して連結されている。撮像部である撮像装置Ｓ（以下、カメラモジュールと称する場合もある）は、上筐体１内に内蔵されており、撮像装置Ｓが上筐体１の外表面側から光を取り込めるよう配置されている。
【００１９】
また上筐体１は情報を表示する表示部を備えており、この表示部は、操作ボタンＰ側の表示面Ｄ１、側面の表示面Ｄ２及び撮像装置Ｓ側の表示面Ｄ３で構成されている。後述するが、本例では外観を構成する面の３つの面に跨って配置された、表示面Ｄ１、Ｄ２及びＤ３は、単一の有機ＥＬ表示装置を湾曲させて配置したものである。
【００２０】
この表示面Ｄ１は図示のように携帯端末が開かれた状態のとき、各種情報表示をおこない、表示面Ｄ２及びＤ３は少なくとも携帯端末が折りたたまれた状態のとき、情報表示をおこなうようになっている。
【００２１】
上筐体１の表示面Ｄ１の下方には、円弧状の開口部４とこの開口部４から操作部材５が露出するよう配置されている。この操作部材５を開口部４内で図示上方へ移動させることによりマクロ撮影時のピント位置に設定される。
【００２２】
なお、この撮像装置の位置は上筐体１内の表示面Ｄ３の上方や側方、その他に配置してもよい、また携帯電話機は折りたたみ式に限るものではないのは、勿論である。
【００２３】
図２は、図１に示す携帯端末の内部構成例を示す概略ブロック図である。以下の図においては、説明の重複を避けるため、同機能部材には同符号を付与して説明する。
【００２４】
同図において、携帯電話機Ｔはアンテナ１１と、無線部１２と、信号処理部１３と、制御部１４と、音声合成処理部１５と、スピーカ１６と、音声合成処理部１７と、マイク１８と、表示制御部１９と、表示面Ｄ１、Ｄ２、Ｄ３を有する表示部である有機ＥＬ表示装置２０と、画像記録用メモリ２１と、ＲＯＭ２２と、撮像部であるカメラモジュールＳと、操作部Ｐと、から構成されている。
【００２５】
無線部１２は、図示せぬ基地局との間で授受される携帯電話無線信号を変復調する。信号処理部１３は、無線部１２で復調された信号を受信制御信号と音声信号に分離し、制御部１４へ受信制御信号を出力したり、制御部１４からの送信信号の処理をおこなう。また、制御部１４は、ＲＯＭ２２に格納された携帯電話Ｔ全体の制御プログラムデータ（コンピュータで実行可能なプログラム）により携帯電話機Ｔの各部の動作を制御するものである。
【００２６】
音声合成処理部１５は、制御部１４からの音声信号を合成し、スピーカ１６から音声として出力する。音声合成処理部１７は、マイク１８から入力される音声を音声信号に変換、制御部１４へ出力するものである。操作部Ｐは、キーパネル等で操作命令信号を制御部１４へ出力する。
【００２７】
撮像部Ｓは、レンズ群及び撮像素子とその周辺回路で構成され、撮像素子により光電変換された撮像信号をＡ／Ｄ変換して画素データとし、制御部１４へ出力する。制御部１４は、このＡ／Ｄ変換後の画素データに所定の画像処理及び圧縮処理を施し画像データとし、記録部である画像記録用メモリ２１に格納する。この画像記録用メモリ２１は、携帯電話機Ｔに内蔵固定されたフラッシュメモリでもよいし、挿脱可能なリムーバブルメモリで構成してもよい。
【００２８】
表示制御部１９は、制御部１４からの表示信号を表示部である有機ＥＬ表示装置２０で表示可能な信号に変換して表示面Ｄ１、Ｄ２、Ｄ３の少なくとも１つの表示面に相当する部分に出力し、表示をおこなうようになっている。
【００２９】
図３は、本発明に係る携帯端末の表示部を含む断面を示す模式図である。同図は、図１に示す携帯端末ＴをＦ−Ｆ線で切断した断面を示している。
【００３０】
同図に示すように、上筐体１は、遮光性の材料で形成された外観部材１Ａと透光性の材料で形成された外観部材１Ｂ、１Ｃで構成され、この外観部材１Ｂ、１Ｃの内側に、表示部である有機ＥＬ表示装置２０が配置されている。この有機ＥＬ表示装置２０は、図示のように、外観部材１Ｂ、１Ｃの内側の面に沿って、単一の有機ＥＬ表示装置が湾曲して配置され、表示面Ｄ１、Ｄ２、Ｄ３を形成している。この表示部２０はヒートシール３１及びコネクタを介してプリント基板３２上の表示制御部１９（図２参照）と電気的に接続されている。なお、この接続はフレキシブルプリント基板等を用いてもよい。表示制御部１９からの、画像信号に基づいた信号、詳しくは走査信号とデータ信号により発光制御をおこない、表示面Ｄ１〜Ｄ３に選択的に画像やキャラクタを表示させることができる。
【００３１】
このように、携帯端末の外観を構成する筐体の内側に配置することで、有機ＥＬ表示装置を、外的な衝撃等から保護することができる。
【００３２】
以下に、有機ＥＬ表示装置について簡単に説明する。
【００３３】
図４は、有機ＥＬ表示装置の断面構造を示す模式図である。有機ＥＬ表示装置は、ボトムエミッションタイプとトップエミッションタイプに大別されるが、本発明への適用は、トップエミッションタイプがより好ましく、このトップエミッションタイプについて簡単に説明する。
【００３４】
同図（ａ）に示すように、有機ＥＬ表示装置は、透光性の基板４４に、陰極層４３、有機層４２、陽極層４１を積層したものである。
【００３５】
陽極層４１は、例えばインジウムチンオキサイド（ＩＴＯ）、インジウムジンクオキサイド（ＩＺＯ）、金、酸化スズ、酸化亜鉛等の仕事関数が４ｅＶ（電子ボルト）以上で、透過率が４０％以上の導電材料による透明電極が形成された層である。
【００３６】
有機層４２は、発光層を含む有機化合物または錯体の単層または複数層、例えば陽極層４１と接する正孔輸送層、発光材料で形成された発光層、陰極層４３と接する電子輸送層等からなるものである。また、フッ化リチウム層や無機金属塩の層或いはそれらを含有する層等が、任意の位置に形成されていてもよい。発光層は少なくとも一種の発光材からなるもので、蛍光発光性化合物又は燐光発光性化合物等が用いられる。
【００３７】
陰極層４３は、例えばアルミニウム、ナトリウム、リチウム、マグネシウム、カルシウム、銀等の仕事関数が４ｅＶ（電子ボルト）未満で、反射率が６０％以上の金属材料からなる反射電極が形成された層である。
【００３８】
基板４４は、基材として、ポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネイト（ＰＣ）、セルローストリアセテート（ＴＡＣ）、セルロースアセテートプロピオネート（ＣＡＰ）等のフレキシブルなフィルム状の基材が本発明においては用いられる。
【００３９】
基板４４を、これらフレキシブルなフィルム状の基材で形成することにより、同図（ｂ）に示すように表示面を湾曲させて配置することができ、図示のように種々の方向に発光表示を行うことが可能となる。
【００４０】
なお、有機ＥＬ表示装置を構成する有機化合物は、水分や大気中の酸素により劣化するため、封止して外部雰囲気から遮断して使用される。この封止部材等は図４では省略してある。
【００４１】
なお、この封止部材としては、基板４４及び陽極層側には透湿防止層（ガスバリア層）を設けることができる。この透湿防止層は、例えば、高周波スパッタリング法などにより形成することができる。また、基板には、更に必要に応じてハードコート層、アンダーコート層などを設けても良い。
【００４２】
次に、フィルム状の基材を用いた有機ＥＬ表示装置の製造法の一例を簡単に説明する。
【００４３】
まず、フィルム基材の裏面に無機物である窒化珪素を高周波スパッタリング法で形成して１００ｎｍ厚の透湿防止層（ガスバリア層）を得る。次いで、真空蒸着法でフィルム基材の表面にマスキングを通して配線パターンが形成されるようアルミニウム１００ｎｍ厚の陰極を作成し、その後、フッ化リチウム０．５ｎｍ厚のバッファ層を作成する。
【００４４】
この後、真空蒸着機より取り出し、陰極、バッファ層上にポリビニルカルバゾール（ＰＶＫ）３０ｍｇとＰＬー１４を１．８ｍｇとをジクロロベンゼン１ｍｌに溶解した塗布液を、スピンコート法により１０００ｒｐｍ、５秒の条件下で塗布した後、６０度で１時間真空乾燥し、１００ｎｍ厚の発光層を形成する。この発光層上にＩＴＯを高周波スパッタ法で形成し、１００ｎｍ厚の透明電極を形成する。以上のようにして、フィルム状の基材を用いた有機ＥＬ表示装置を作成することができる。
【００４５】
図５は、有機ＥＬ表示装置を構成する有機ＥＬ素子の１画素を抜き出した等価的回路図である。同図において、５０は有機ＥＬ素子、５１はスイッチングトランジスタ、５２は駆動トランジスタ、５３はコンデンサ、５５は走査線、５６はデータ線、５７は電源線である。
【００４６】
同図に示すように、データ線５６を介しスイッチングトランジスタ５１のドレインに電圧が印加され、走査線５５を介してスイッチングトランジスタ５１のゲートに電圧が印加されるとスイッチングトランジスタ５１がオンし、コンデンサ５３に電荷が蓄積されると共に、駆動トランジスタ５２のゲートに電圧が印加される。これにより駆動トランジスタ５２がオンされ、データ線の電位に応じて、電源線５７から有機ＥＬ素子５０へ通電され発光することになる。この後、走査線の電圧印加が断たれても、コンデンサ５３に充電した電荷により、所定の時間は駆動トランジスタ５２はオンされ続け、有機ＥＬ素子５０は発光し続けるようになっている。
【００４７】
以上が、有機ＥＬ素子の１画素を発光させるシーケンスである。情報表示する表示部は、このような有機ＥＬ素子を２次元的に複数配置し、個々の有機ＥＬ素子に上述のようなデータ線と走査線の電圧印加制御を順次おこなうことで、画像やキャラクタの表示を可能としている。なお本例はアクティブマトリクス方式で説明したが、本発明においてはパッシブマトリクス方式であっても適用可能である。
【００４８】
また、発光量即ち輝度の制御は、このデータ線５６を制御することでおこなわれ、例えば高輝度で発光させようとする場合には、コンデンサ５３への充電を充分におこない、コンデンサ５３の両端の電圧を増加させ、有機ＥＬ素子に供給される電流量が増加するようデータ線５６を制御することで発光量を増加させるようになっている。
【００４９】
なお、電源線の電圧を可変として、有機ＥＬ素子に供給される電流量が増加するように構成してもよい。
【００５０】
以上のような有機ＥＬ素子を２次元的に配置した表示装置を用い、通常の表示をおこなうときは、Ｒ、Ｇ、Ｂの３色でカラー画像やキャラクタによる情報表示をおこない、撮像部を使用しての被写体撮影に際しては、色度図の例えばＣＩＥ１９３１色度座標のｘ値を０．２〜０．４５、ｙ値を０．２〜０．４２の範囲内、即ち、白色となるよう３色の発光量を制御しつつ、発光量を上げて照明用光源として使用するようになっている。以下、白色で、発光量を上げて照明用光源として使用する場合を、照明モードと称して説明する。
【００５１】
以下に、上述のような単一の有機ＥＬ表示装置で表示面Ｄ１〜Ｄ３が構成された携帯端末の、撮像部を使用して撮影をおこなう際の動作概略について説明する。
【００５２】
図６は、携帯端末の種々の機能のうち、撮像部を使用した撮影モードに設定したときの動作概略の例を示すフローチャートである。
【００５３】
同図に示すフローチャートにおいて、まず撮影モードにセットされたかどうか判断（ステップＳ１０１）し、撮影モードにセットされたと判断した場合（ステップＳ１０１；Ｙｅｓ）には、撮像素子をＯＮし、撮像部（カメラモジュール）と反対側の面の表示面Ｄ１に、撮像部で撮像しつつある被写体画像、即ちプレビュー画像を表示する（ステップＳ１０２）。
【００５４】
次いで、プレビュー画像取得に際しての撮像素子の蓄積時間とゲインの関係から、被写体輝度が所定の輝度値以下かどうか判断する（ステップＳ１０３）。被写体輝度が所定の輝度値以下の場合（ステップＳ１０３；Ｙｅｓ）、撮像部側の表示面Ｄ３の一部又は全部を、小光量の照明モードで駆動して、発光させる（ステップＳ１０４）。この小光量の照明モード時の発光輝度としては、５００ｃｄ／ｍ2程度とするのが好ましい。
【００５５】
図７は、図１に示した携帯電話機Ｔのプレビュー画像表示と照明モードで発光する表示面の例を示した模式図である。同図左側に示したように、ステップＳ１０２におけるプレビュー画像表示は、撮像部Ｓと反対側の面の表示面Ｄ１に、撮像部で撮像しつつある被写体画像を表示する。また同図右側に示したように、撮像部Ｓ側の表示面Ｄ３のハッチング部を、小光量の照明モードで駆動して、発光させ照明として使用する。
【００５６】
図６に戻り、被写体輝度が所定の輝度値を越える場合（ステップＳ１０３；Ｙｅｓ）は、ステップＳ１０４をジャンプする。
【００５７】
この後、再度、撮影モードかどうか判断（ステップＳ１０５）し、撮影モードが解除（ステップＳ１０５；Ｎｏ）されていればステップＳ１０１へ戻り、撮影モードであれば（ステップＳ１０５；Ｙｅｓ）、レリーズ機能を付与された釦（例えば、図１に示す操作ボタンＰのいずれかでよい）がＯＮされるのを待機する（ステップＳ１０６）。レリーズ機能を付与された釦がＯＮされると（ステップＳ１０６；Ｙｅｓ）、再度プレビュー画像取得に際しての撮像素子の蓄積時間とゲインの関係から、被写体輝度が所定の輝度値以下かどうか判断する（ステップＳ１０７）。
【００５８】
被写体輝度が所定の輝度値以下の場合（ステップＳ１０７；Ｙｅｓ）は、撮像部側の面に配置された表示面Ｄ３のハッチング部を、大光量の照明モードで駆動して、発光させ、露光時間を決定する（ステップＳ１０８）。この大光量の照明モード時の発光輝度としては、１０００ｃｄ／ｍ2以上とするのが好ましい。また、照明モードの小光量と大光量の切り替えは、表示面Ｄ３の発光面積の変更により行ってもよい。
【００５９】
この後、撮像素子の電荷をクリアし、撮影のための電荷蓄積を開始する（ステップＳ１０９）。ステップＳ１０８で決められた露光時間（電荷蓄積時間）となると、電荷蓄積を停止（ステップＳ１１０）し、撮像部側の面の表示面Ｄ３の照明モード駆動を停止させる（ステップＳ１１１）。
【００６０】
一方、ステップＳ１０７で、被写体輝度が所定の輝度値を越える場合（ステップＳ１０７；Ｎｏ）は、プレビュー時の撮像素子の蓄積時間とゲインの関係から撮影時の露光時間（電荷蓄積時間）を決め（ステップＳ１１２）、撮像素子の電荷をクリアした後、撮影のための電荷蓄積を開始する（ステップＳ１１３）。ステップＳ１１２で決められた露光時間（電荷蓄積時間）となると、電荷蓄積を停止（ステップＳ１１４）させる。
【００６１】
即ち、被写体輝度が所定の輝度値以下の場合は、撮像部側の面の表示面Ｄ３を、照明用光源として照明モードで駆動して、発光させて撮影に供し、被写体輝度が所定の輝度値を越える場合は、周囲光による定常光撮影をおこなうものである。
【００６２】
この後、撮像素子に蓄積された電荷を読み出し（ステップＳ１２０）、Ａ／Ｄ変換後の画素データに所定の画像処理を施して画像データとした後、圧縮処理をおこなう（ステップＳ１２１）。次いで、この圧縮された画像データを画像記録用メモリ（図２参照）に格納する。
【００６３】
以上で一枚の画像の撮影が終了し、ステップＳ１０１へ戻る。ステップＳ１０１で撮影モードが解除されたと判断（ステップＳ１０１；Ｎｏ）すると撮影モードの終了処理をおこない（ステップＳ１３０）、他のモードへ移行する。
【００６４】
このように、単一の有機ＥＬ表示装置のみで、撮像部の開口部側の面の表示面をプレビュー表示として駆動し、撮像部と反対側の面の表示面を照明用光源として用いることで、複数の表示装置や駆動回路を必要とせず、小型薄型の形状を保ったまま、低輝度下での撮影が可能な携帯端末を得ることができる。なお、本例では静止画撮影で説明したが、動画撮影時にも適用可能である。
【００６５】
図８は、本発明に係る携帯端末の有機ＥＬ表示装置を用いた着信表示の一例を示した図である。同図に示すように、着信表示時には、表示面Ｄ３側と側面の表示面Ｄ２側のハッチング部を、例えば点滅等で着信を表示する。このように、単一の有機ＥＬ表示装置のみで、複数の面に跨って表示を行うことで、鞄内等で他の物に挟まれて持ち歩かれている場合にも、視認性が向上し着信を認識させやすくすることができる。
【００６６】
図９は、本発明に係る携帯端末の表示部を含む断面のその他の例を示す模式図である。同図は、有機ＥＬ表示装置を携帯端末の筐体の外側表面に配置した例を示しており、図１に示す携帯端末ＴをＦ−Ｆ線で切断した断面を示している。
【００６７】
同図に示すように、上筐体１の外側に外観部材として有機ＥＬ表示装置である表示部２０が配置されている。この表示部２０は、図示のように、上筐体１の外側の面に沿って、単一の有機ＥＬ表示装置が湾曲して、接着剤或いは粘着テープ等で固着され、表示面Ｄ１、Ｄ２、Ｄ３を形成している。この表示部２０はヒートシール３１及びコネクタを介してプリント基板３２上の表示制御部１９（図２参照）と電気的に接続されている。なお、この接続はフレキシブルプリント基板等を用いてもよい。
【００６８】
このように、有機ＥＬ表示装置で外観を形成し、この外観を構成する面のうち、少なくとも隣り合う２つの面に跨って配置するようにしてもよい。この場合、別工程で作成した有機ＥＬ表示装置を接着剤或いは粘着テープ等で固着する工程を追加することで、携帯端末の製造工程を大幅に変更せずに工程を組むことができる。
【００６９】
図１０は、携帯端末への有機ＥＬ表示装置の配置のその他の変形例を示した図である。同図（ａ）に示したものは、有機ＥＬ表示装置の表示面Ｄを携帯端末Ｔの両側面を含む３つの面に跨ってコの字状に配置したものである。同図（ｂ）は、有機ＥＬ表示装置の表示面Ｄを携帯端末Ｔの上側面を含む２つの面に跨ってＬ字状に配置したものである。同図（ｃ）は、有機ＥＬ表示装置の表示面Ｄを携帯端末Ｔの上側面を跨いで３つの面にコの字状に配置したものである。
【００７０】
なお、同図では、有機ＥＬ表示装置で外観を形成した図で説明したが、筐体の内側で同図のような形状に有機ＥＬ表示装置を配置しても良いのは勿論である。
【００７１】
以上説明したように、単一の有機ＥＬ表示装置を、携帯端末の外観を構成する面のうち、少なくとも隣り合う２つの面に跨って配置することにより、表示部及びこれら表示部を個々に接続するコネクタ数を最少とし、低コストでありながら信頼性が向上すると共に、省スペースによる小型薄型化をも可能とした携帯端末を得ることができる。
【００７２】
なお、上述の実施の形態においては、本発明を折り畳み式の携帯端末を用いて説明したが、これに限るものでないのは勿論である。
【図面の簡単な説明】
【００７３】
【図１】本発明に係る携帯端末の一例である携帯電話機Ｔの外観図である。
【図２】図１に示す携帯端末の内部構成例を示す概略ブロック図である。
【図３】本発明に係る携帯端末の表示部を含む断面を示す模式図である。
【図４】有機ＥＬ表示装置の断面構造を示す模式図である。
【図５】有機ＥＬ表示装置を構成する有機ＥＬ素子の１画素を抜き出した等価的回路図である。
【図６】携帯端末の種々の機能のうち、撮像部を使用した撮影モードに設定したときの動作概略の例を示すフローチャートである。
【図７】図１に示した携帯電話機Ｔのプレビュー画像表示と照明モードで発光する表示面の例を示した模式図である。
【図８】本発明に係る携帯端末の有機ＥＬ表示装置を用いた着信表示の一例を示した図である。
【図９】本発明に係る携帯端末の表示部を含む断面のその他の例を示す模式図である。
【図１０】携帯端末への有機ＥＬ表示装置の配置のその他の変形例を示した図である。
【符号の説明】
【００７４】
１  上筐体
２  下筐体
３  ヒンジ
４  開口部
５  操作部材
２０  有機ＥＬ表示装置
３１  ヒートシール
３２  プリント基板
４１  陽極層
４２  有機層
４３  陰極層
４４  基板
５０  有機ＥＬ素子
５１  スイッチングトランジスタ
５２  駆動トランジスタ
５３  コンデンサ
５５  走査線
５６  データ線
５７  電源線
Ｄ１、Ｄ２、Ｄ３  表示面
Ｐ  操作ボタン
Ｓ  撮像装置
Ｔ  携帯電話機
【図１】
2006005712.tif 000003
【図２】
2006005712.tif 000004
【図３】
2006005712.tif 000005
【図４】
2006005712.tif 000006
【図５】
2006005712.tif 000007
【図６】
2006005712.tif 000008
【図７】
2006005712.tif 000009
【図８】
2006005712.tif 000010
【図９】
2006005712.tif 000011
【図１０】
2006005712.tif 000012